(57)【要約】【課題】再生サーチモード時にストリームの不連続位置をユーザへ効果的に通知することができる記録装置及び再生装置を提供する。【解決手段】記録動作時において、ＩＮＶＡＬＩＤ区間のサーチデータエリアに特定の代表画を記録する。これにより、再生サーチモード時に、ストリームの不連続位置で記録した代表画を表示することができる。また、再生サーチモード中に、ストリームの不連続位置で磁気記録テープ１０５ｂを一時停止し（ステップＳ７０１）、さらに操作指示画面を表示する（ステップＳ７０２）。これにより、ユーザは視覚的にストリームの不連続位置を容易に認知することができる。【選択図】図３
2007110623.tif 000002
【特許請求の範囲】
【請求項１】
装置外部より画像データ列を入力する入力手段と、
前記入力手段による入力された画像データ列をテープ状記録媒体に対して記録する記録手段と、
前記記録手段による前記画像データ列の記録中に、前記入力手段により入力されている画像データ列の欠落を検出したことに応じて、テープ状記録媒体に対し、所定の画像データを所定期間に亘って前記テープ状記録媒体上に記録するように前記記録手段を制御する制御手段とを備えたことを特徴とする記録装置。
【請求項２】
前記制御手段は更に、前記入力手段により入力されている画像データ列の欠落後、前記画像データ列の入力が再開したことに応じて、前記所定の画像データの記録領域に引き続いて前記入力再開後の画像データ列を記録するように前記記録手段を制御することを特徴とする請求項１記載の記録装置。
【請求項３】
前記記録手段は、前記特定の画像データと共に画像データ列の不連続を示す不連続情報を前記所定期間記録するように前記記録手段を制御することを特徴とする請求項１または２記載の記録装置。
【請求項４】
前記入力手段により入力されている画像データ列を用いて、通常再生用の画像データと高速再生用の画像データを生成する画像処理手段を備え、
前記制御手段は、前記高速再生用の画像データに代えて前記所定の画像データを前記所定期間記録するように前記記録手段を制御することを特徴とする請求項１記載の記録装置。
【請求項５】
テープ状記録媒体を搬送して前記テープ状記録媒体から画像データ列を再生する再生手段と、
前記再生手段より再生された画像データ列から、不連続ストリームを示す不連続情報を検出する検出手段と、
前記検出手段の出力に応じて前記テープ状記録媒体の搬送を停止するように前記再生手段を制御する制御手段とを備えたことを特徴とする再生装置。
【請求項６】
前記画像データ列は、通常再生用画像データと高速再生用の画像データとを含み、前記制御手段は、前記テープ状記録媒体を高速に搬送しながら前記高速再生用の画像データを再生する高速再生モードにおいて、前記検出手段が前記高速再生用の画像データ中の不連続情報を検出したことに応じて前記テープ状記録媒体の搬送を停止するように前記再生手段を制御することを特徴とする請求項５記載の再生装置。
【請求項７】
前記制御手段は、前記テープ状記録媒体の搬送を停止したことに応じて、前記通常再生用画像データと高速再生用の画像データの何れを再生するかを選択するための情報を表示装置に表示すると共に、前記通常再生用画像データと高速再生用の画像データの何れを再生するかの選択結果に応じて前記テープ状記録媒体の搬送速度を変更することを特徴とする請求項６記載の再生装置。
【請求項８】
装置外部より画像データ列を入力する入力手段と、前記入力手段による入力された画像データ列をテープ状記録媒体に対して記録する記録手段とを有する記録装置の制御方法であって、
前記記録手段による前記画像データ列の記録中に、前記入力手段により入力されている画像データ列の欠落を検出したことに応じて、テープ状記録媒体に対し、所定の画像データを所定期間に亘って前記テープ状記録媒体上に記録するように前記記録手段を制御することを特徴とする記録装置の制御方法。
【請求項９】
テープ状記録媒体を搬送して前記テープ状記録媒体から画像データ列を再生する再生工程と、
前記再生工程より再生された画像データ列から、不連続ストリームを示す不連続情報を検出する検出工程と、
前記検出工程の検出出力に応じて前記テープ状記録媒体の搬送を停止するように前記再生工程を制御する制御工程とを有することを特徴とする再生装置の制御方法。
【請求項１０】
装置外部より画像データ列を入力する入力手段と、前記入力手段による入力された画像データ列をテープ状記録媒体に対して記録する記録手段とを有する記録装置の制御方法を実行するための、コンピュータで読み取り可能な制御プログラムであって、
前記記録手段による前記画像データ列の記録中に、前記入力手段により入力されている画像データ列の欠落を検出したことに応じて、テープ状記録媒体に対し、所定の画像データを所定期間に亘って前記テープ状記録媒体上に記録するように前記記録手段を制御するステップを備えたことを特徴とする制御プログラム。
【請求項１１】
テープ状記録媒体を搬送して前記テープ状記録媒体から画像データ列を再生する再生手段を有する再生装置の制御方法を実行するための、コンピュータで読み取り可能な制御プログラムであって、
前記再生手段より再生された画像データ列から、不連続ストリームを示す不連続情報を検出する検出ステップと、
前記検出ステップの検出出力に応じて前記テープ状記録媒体の搬送を停止するように前記再生手段を制御する制御ステップとを有することを特徴とする制御プログラム。
【発明の詳細な説明】
【技術分野】
【０００１】
本発明は、画像データ列をテープ状記録媒体に対して記録する記録装置及びその制御方法、テープ状記録媒体から画像データ列を再生する再生装置及びその制御方法、並びに前記制御方法を実現するための制御プログラムに関する。
【背景技術】
【０００２】
従来、磁気テープに対してデジタルカメラ画像データを記録再生する装置が知られている。
【０００３】
この種の装置のうち、画像信号をＭＰＥＧ２（Ｍｏｖｉｎｇ  Ｐｉｃｔｕｒｅ  Ｅｘｐｅｒｔｓ  Ｇｒｏｕｐ  Ｐｈａｓｅ２）に準拠した方式で符号化して記録再生する民生用のデジタルＶＴＲが登場している。このＭＰＥＧ方式のデジタルＶＴＲでは、通常再生用の画像信号に加え、高速再生（サーチ）用の画像データを生成し、磁気テープ上の特定エリアに記録している（例えば、特許文献１参照）。
【０００４】
図６は、特許文献１に開示された、磁気記録テープ上の記録フォーマットを示す図であり、特に磁気記録テープ上におけるサーチデータの配置を示している。
【０００５】
特許文献１では、テープ上の１６本のトラックを単位としてエラー訂正符号化処理を施している。この１６トラックをＥＣＣユニットと呼ぶ。８倍速用のサーチデータは、１ＥＣＣユニット（１６トラック）単位に配置される。具体的に、この８倍速用のサーチデータは、ＥＣＣ内トラック番号ＥＴＮ［３：０］＝０及び４の記録トラックに、１７シンクブロック分の同一データ（データ番号１７〜３３）がそれぞれ２回ずつ繰り返し記録されている。また、ＥＣＣ内トラック番号ＥＴＮ［３：０］＝２の記録トラックに、残り１７シンクブロックのデータ（データ番号０〜１６）が３回繰り返されて記録されている。これによって、１ＥＣＣバンクに３４シンクブロック（データ番号０〜３３）が割り当てられるようになっている。
【０００６】
これに対して２４倍速用の特殊再生用映像データは、３ＥＥＣバンク（１６×３＝４８トラック）単位で１つ配置される。記録位置は、サブコードＦＬＥ（Ｆｌａｇ  Ｅｘｔｅｎｓｉｏｎ）内のＳＰＨ（Ｓｅａｒｃｈ  Ｐｈａｓｅ）、２ビットの３進カウンタにより示される。この２４倍速用の特殊再生用映像データは、ＥＣＣ内トラック番号ＥＴＮ［３：０］＝１１及び１５の記録トラックに、８シンクブロック分のデータ（データ番号０〜３、８〜１１）がそれぞれ４回、繰り返されて記録されている。また、ＥＣＣ内トラック番号ＥＴＮ［３：０］＝１３の記録トラックに、４シンクブロック分のデータ（データ番号４〜７）が３回繰り返し記録されている。これによって、３ＥＣＣブロックに１２シンクブロック分のデータが繰り返し記録されるようになっている。
【０００７】
また、このようなフォーマットでは、図７のように、記録動作中に不連続なストリームが発生した場合（図７のＴ２１）、不連続位置を明示するために、ストリームの記録復帰まで（図７のＴ２２）、図６のフォーマットに従って不連続を示すデータ（以下、ＩＮＶＡＬＩＤデータと記す）を記録することが提案されている。なお、このＩＮＶＡＬＩＤ区間（Ｔ２３）は、無意味なデータであるＮＵＬＬデータを記録する。
【特許文献１】特開２００４−１５４５７号公報
【発明の開示】
【発明が解決しようとする課題】
【０００８】
しかしながら、上述の従来技術では、再生サーチモード時において、ストリームの不連続位置をユーザに効果的に通知する手法については提案されていない。そのため、ユーザが再生サーチモード中にストリームの不連続位置を見逃してしまう虞があった。
【０００９】
本発明は上記従来の問題点に鑑み、再生サーチモード時にストリームの不連続位置をユーザへ効果的に通知することができる記録装置及びその制御方法、再生装置及びその制御方法、並びに制御プログラムを提供することを目的とする。
【課題を解決するための手段】
【００１０】
本発明は上記目的を達成するため、装置外部より画像データ列を入力する入力手段と、前記入力手段による入力された画像データ列をテープ状記録媒体に対して記録する記録手段と、前記記録手段による前記画像データ列の記録中に、前記入力手段により入力されている画像データ列の欠落を検出したことに応じて、テープ状記録媒体に対し、所定の画像データを所定期間に亘って前記テープ状記録媒体上に記録するように前記記録手段を制御する制御手段とを備えたことを特徴とする。
【００１１】
また、本発明は、テープ状記録媒体を搬送して前記テープ状記録媒体から画像データ列を再生する再生手段と、前記再生手段より再生された画像データ列から、不連続ストリームを示す不連続情報を検出する検出手段と、前記検出手段の出力に応じて前記テープ状記録媒体の搬送を停止するように前記再生手段を制御する制御手段とを備えたことを特徴とする。
【００１２】
また、本発明は、装置外部より画像データ列を入力する入力手段と、前記入力手段による入力された画像データ列をテープ状記録媒体に対して記録する記録手段とを有する記録装置の制御方法であって、前記記録手段による前記画像データ列の記録中に、前記入力手段により入力されている画像データ列の欠落を検出したことに応じて、テープ状記録媒体に対し、所定の画像データを所定期間に亘って前記テープ状記録媒体上に記録するように前記記録手段を制御することを特徴とする。
【００１３】
また、本発明は、テープ状記録媒体を搬送して前記テープ状記録媒体から画像データ列を再生する再生工程と、前記再生工程より再生された画像データ列から、不連続ストリームを示す不連続情報を検出する検出工程と、前記検出工程の検出出力に応じて前記テープ状記録媒体の搬送を停止するように前記再生工程を制御する制御工程とを有することを特徴とする。
【００１４】
また、本発明は、装置外部より画像データ列を入力する入力手段と、前記入力手段による入力された画像データ列をテープ状記録媒体に対して記録する記録手段とを有する記録装置の制御方法を実行するための、コンピュータで読み取り可能な制御プログラムであって、前記記録手段による前記画像データ列の記録中に、前記入力手段により入力されている画像データ列の欠落を検出したことに応じて、テープ状記録媒体に対し、所定の画像データを所定期間に亘って前記テープ状記録媒体上に記録するように前記記録手段を制御するステップを備えたことを特徴とする。
【００１５】
また、本発明は、テープ状記録媒体を搬送して前記テープ状記録媒体から画像データ列を再生する再生手段を有する再生装置の制御方法を実行するための、コンピュータで読み取り可能な制御プログラムであって、前記再生手段より再生された画像データ列から、不連続ストリームを示す不連続情報を検出する検出ステップと、前記検出ステップの検出出力に応じて前記テープ状記録媒体の搬送を停止するように前記再生手段を制御する制御ステップとを有することを特徴とする。
【発明の効果】
【００１６】
本発明によれば、再生中に、ユーザに対して不連続ストリームの位置を効果的に通知することが可能になる。
【発明を実施するための最良の形態】
【００１７】
以下、本発明の実施の形態について、図面を参照しながら説明する。
【００１８】
［第１の実施の形態］
＜記録再生装置の構成＞
図１は、本発明の第１の実施の形態に係る記録再生装置の構成を示すブロック図である。
【００１９】
この記録再生装置は、入出力部１０１、ＭＰＥＧコーデック１０２、サーチ画像処理部１０３、システム制御部１０４、記録／再生部１０５ａ、表示部１０６、汎用メモリ１０７、外部記録媒体１０８、操作部１０９、及び機構制御部１１０がバス１００を介して接続されている。
【００２０】
入出力部１０１は、装置外部に対してＭＰＥＧ２−ＴＳ（Ｔｒａｎｓｐｏｒｔ  Ｓｔｒｅａｍ）データを入出力し、ＭＰＥＧコーデック１０２は、入出力部１０１から入力されたデータを圧縮／伸長する。サーチ画像処理部１０３は、記録時には入力された画像データを用いてサーチデータを生成し、再生時には再生されたサーチデータを処理して表示用の画像データへ変換する。
【００２１】
システム制御部１０４は、装置全体の動作を制御するもので、ＣＰＵと、ＣＰＵが実行する制御プログラムが格納されたＲＯＭと、ＣＰＵのワークエリアとなるＲＡＭとを有している。
【００２２】
記録／再生部１０５ａは、磁気記録テープ１０５ｂに対して映像信号を磁気記録すると共に、磁気記録テープ１０５ｂに記録されている映像信号を再生するための磁気ヘッドや、磁気ヘッドの出力を再生処理する再生処理回路等から構成されている。表示部１０６は、画像を表示する液晶パネル等から成り、メモリ部１０７は映像データを一時的に保持するために供するメモリである。
【００２３】
外部記録媒体１０８はメモリカード等から成り、予め任意の静止画像を記録しておくものとする。操作部１０９はユーザとのインターフェースとなる操作ボタン等から成る。
【００２４】
機構制御部１１０はシステム制御部１０４の制御下に、テープドラム機構１１１を制御する。テープドラム機構１１１は、磁気記録テープ１０５ｂの走行系と、磁気ヘッドを備えた回転ドラムの回転駆動系から成る。
【００２５】
＜通常の記録動作と再生動作＞
次に、上記構成の記録再生装置の通常の記録動作と再生動作について説明する。
【００２６】
まず通常の記録動作について説明すると、入出力部１０１で取り込んだＭＰＥＧ２−ＴＳデータをメモリ１０７に一時保持する。そして、サーチ画像処理部１０３において、入力されたＭＰＥＧ２−ＴＳデータ中のＩピクチャのデータを用いて再生サーチ用画像データを生成し、メモリ１０７に保持する。
【００２７】
システム制御部１０４は、メモリ１０７に保持されたＭＰＥＧ２−ＴＳデータからＭＰＥＧ２−ＰＳ（Ｐｒｏｇｒａｍ  Ｓｔｒｅａｍ）データを生成し、このＭＰＥＧ２−ＰＳデータを含む通常再生用画像データとサーチ用画像データを、図６で示したフォーマットに従って磁気記録媒体１０５に記録する。
【００２８】
通常の再生動作では、システム制御部１０４は、磁気記録テープ１０５ｂからメモリ１０７に映像データを読み出す。ＭＰＥＧコーデック１０２はメモリ１０７に読み込まれた映像データを順次デコードし、表示部１０６に通常再生画を表示する。
【００２９】
＜不連続ストリームを検出した時の記録処理＞
次に、入出力部１０１から入力されたＭＰＥＧ２−ＴＳデータを記録中に、データの欠落が発生し、磁気記録テープ１０５ｂ上に記録されるＭＰＥＧ２ストリームのデータが不連続になった場合の動作について説明する。
【００３０】
入出力部１０１より入力されているＭＰＥＧ２−ＴＳデータの記録中に、何らかの要因によりデータの入力が途切れると、システム制御部１０４はデータの不連続を検出し、図２に示すような処理を行う。
【００３１】
図２は、不連続ストリームを検出した時の記録処理を示すフローチャートである。
【００３２】
システム制御部１０４は、データの不連続を検出したときに、外部記録媒体１０８から特定の画像データを読み出して、サーチ画像処理部１０３でその特定の画像データをサーチデータに変換し、メモリ１０７に一時保持する（ステップＳ４０１）。
【００３３】
続いて、システム制御部１０４は、図６に示すフォーマットに従い、サーチデータの記録領域に前記特定の画像データを配置し、所定期間（Ｎトラック期間）に亘って磁気記録テープ１０５ｂに記録する（ステップＳ４０２）。また、サーチデータの記録領域以外の部分にはＩＮＶＡＬＩＤデータを記録する。そして、所定期間記録した後、入出力部１０１によりＭＰＥＧ２−ＴＳデータが再び入力されたか否かを判別し、まだ入力されていない場合には、更に、ＩＮＶＡＬＩＤデータの記録を継続する。これ以降、１ＥＣＣユニット（１６トラック）分のＩＮＶＡＬＩＤデータを記録する度にＭＰＥＧ２−ＴＳデータの入力を確認し、ストリームの復帰を検出すると通常記録動作を再開する（ステップＳ４０４）。
【００３４】
図３は、上述した不連続ストリーム発生時のＩＮＶＡＬＩＤ区間の記録処理のイメージ図である。
【００３５】
図中の５０１，５０２は、８倍速サーチ画像用の画像データの例であり、５０３は、外部記録媒体１０８から読み出した特定の画像データの例である。５０４は、図６で示したＥＣＣであり、５０５はＭＰＥＧ方式で符号化されたビデオフレームである。１フレームの８倍速用のサーチ画像は、図中の５０４、５０５で示すように、９ＥＣＣユニットのサーチデータで構成される。
【００３６】
上述した通り、５０１，５０２で示す画像データをサーチ画像処理部１０３において逐次サーチデータに変換し、図６で示すフォーマットに従って磁気記録テープ１０５ｂに記録する。不連続ストリームを検出した場合、外部記録媒体１０８から読み出した上記特定の画像データ５０３をサーチ画像処理部１０３においてサーチデータに変換し、図６で示すフォーマットに従って磁気記録テープ１０５ｂに記録する。
【００３７】
＜第１の実施の形態の利点＞
以上のように本実施の形態によれば、記録動作時において、ＩＮＶＡＬＩＤ区間のサーチデータエリアに特定の代表画を記録するようにしたので、サーチ再生モード時に、ストリームの不連続位置で記録した代表画を表示することができる。これにより、ユーザは、再生サーチモード時にストリームの不連続位置を容易に認識することができる。
【００３８】
なお、上記第１の実施の形態では、不連続ストリームを検出した場合に外部記録媒体１０８から特定の画像データを読み出すようにしたが、外部記録媒体１０８以外のメモリなどから読み出すようにしてもよい。また、上記実施の形態では、５０４、５０５で示すＩＮＶＡＬＩＤ区間内に８倍速用のサーチデータを記録する際、１フレームを９ＥＣＣユニット分に記録したが、８倍速用のサーチデータが記録できるＥＣＣユニット単位であれば、これに限らない。
【００３９】
また、図３の例では、ＧＯＰ単位でストリームの不連続が発生している様子を示しているが、ＧＯＰの途中で不連続ストリームが発生しても構わない。
【００４０】
［第２の実施の形態］
上記第１の実施の形態では、記録動作中に不連続ストリームが発生した場合の処理について説明したが、第２の実施の形態では、再生サーチモード中にＩＮＶＡＬＩＤ区間を検出したときの処理について説明する。
【００４１】
＜サーチモード＞
サーチモードでは、システム制御部１０４は磁気記録テープ１０５ｂからメモリ１０７にサーチデータを読み出す。サーチ画像処理部１０３はメモリ１０７に読み込まれたサーチデータを画像データに逐次変換し、表示部１０６に画像データを表示する。
【００４２】
＜サーチモード中のＩＮＶＡＬＩＤ区間検出時の処理＞
図４は、サーチモード中のＩＮＶＡＬＩＤ区間検出時の処理を示すフローチャートである。
【００４３】
システム制御部１０４は、ＩＮＶＡＬＩＤ区間を検出した場合に、一旦、磁気記録テープ１０５ｂの走行を一時停止（ＰＵＡＳＥ）状態にする（ステップＳ７０１）。次にシステム制御部１０４は、その内部メモリであるＲＯＭから、特定の文字や記号の画素（ｂｉｔ）パターンを読み出し、図５に示すような操作指示画面８０５を表示部１０６に表示する（ステップＳ７０２）。この操作指示画面では、例えば、再生サーチを継続するのか、或いは再生動作を開始するのかをユーザが指示できるように、選択肢が表示される。
【００４４】
そして、システム制御部１０４は、操作部１０９を通じて、ユーザの指示内容を検出する処理を行う（ステップＳ７０３）。ユーザの指示が再生動作の開始の場合は、システム制御部１０４は通常の再生動作を開始する（ステップＳ７０４）。ユーザからの指示が再生サーチ継続、もしくはカウンタ値が所定値以上に亘ってユーザの指示が無かった場合は、システム制御部１０４は、再生サーチモードを再開する（ステップＳ７０５）。
【００４５】
図５は、再生サーチモード中のＩＮＶＡＬＩＤ区間検出時の処理のイメージ図である。
【００４６】
図中の８０１はＭＰＥＧ方式で符号化されたビデオフレームであり、８０２は図６で示したＥＣＣユニットである。８０３，８０４は、８倍速のサーチ画像の例であり、８０５は操作指示画面の例である。
【００４７】
再生サーチモード中は、サーチデータ８０２をサーチ画像処理部１０３において逐次、画像データ８０３，８０４に変換し、表示部１０６に表示する。そして、ＩＮＶＡＬＩＤ区間を検出すると、操作指示画面８０５を表示部１０６に表示する。
【００４８】
＜第２の実施の形態の利点＞
以上のように本実施の形態によれば、再生サーチモード中において、ユーザに不連続ストリームの位置を効果的に通知することができる。これにより、再生サーチ時の検索性や、画像認知性能を高めることが可能になる。
【００４９】
特に、再生サーチモード中に、ストリームの不連続位置で磁気記録テープ１０５ｂを一時停止するようにしたので（ステップＳ７０１）、ユーザは視覚的にストリームの不連続位置を容易に認知することができる。
【００５０】
また、再生サーチモード中に、ストリームの不連続位置で操作指示画面を表示するようにしたので（ステップＳ７０２）、ユーザはストリームの不連続位置で再生動作開始や再生サーチの継続等の選択を行うことができる。
【００５１】
なお、上記第２の実施の形態では、ＩＮＶＡＬＩＤ区間を検出した場合、テープ走行速度をＰＡＵＳＥ（一時停止）状態としたが、テープ走行速度を変化させるものであればこれに限らない。
【００５２】
また、上記第２の実施の形態では、特定の文字や記号、画素パターンはシステム制御部１０４の内部メモリから読み出すようにしたが、別のメモリであってもよい。さらに、操作指示画面の指示内容は、再生サーチモードの継続、再生動作の開始としたが、これに限ったものではない。
【００５３】
また、本発明の目的は、前述した各実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても達成される。
【００５４】
この場合、記憶媒体から読み出されたプログラムコード自体が前述した各実施の形態の機能を実現することになり、そのプログラムコード及び該プログラムコードを記憶した記憶媒体は本発明を構成することになる。
【００５５】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ等の光ディスク、磁気テープ、不揮発性のメモリカード、ＲＯＭ等を用いることができる。または、プログラムコードをネットワークを介してダウンロードしてもよい。
【００５６】
また、コンピュータが読み出したプログラムコードを実行することにより、前述した各実施の形態の機能が実現されるだけではなく、そのプログラムコードの指示に基づき、コンピュータ上で稼動しているＯＳ（オペレーティングシステム）等が実際の処理の一部または全部を行い、その処理によって前述した各実施の形態の機能が実現される場合も含まれる。
【００５７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その拡張機能を拡張ボードや拡張ユニットに備わるＣＰＵ等が実際の処理の一部または全部を行い、その処理によって前述した各実施の形態の機能が実現される場合も含まれる。
【図面の簡単な説明】
【００５８】
【図１】第１の実施の形態に係る記録再生装置の構成を示すブロック図である。
【図２】不連続ストリームを検出した時の記録処理を示すフローチャートである。
【図３】不連続ストリーム発生時のＩＮＶＡＬＩＤ区間の記録処理のイメージ図である。
【図４】再生サーチモード中のＩＮＶＡＬＩＤ区間検出時の処理を示すフローチャートである。
【図５】再生サーチモード中のＩＮＶＡＬＩＤ区間検出時の処理のイメージ図である。
【図６】従来の、磁気記録テープ上の記録フォーマットを示す図である。
【図７】従来の、不連続ストリーム発生時のＩＮＶＡＬＩＤ区間のイメージ図である。
【符号の説明】
【００５９】
１０１  入出力部
１０２  ＭＰＥＧコーデック
１０３    サーチ画像処理部
１０４    システム制御部
１０５    磁気記録テープ
１０６  表示部
１０７  汎用メモリ
１０８  外部記録媒体
１０９  操作部
【図１】
2007110623.tif 000003
【図２】
2007110623.tif 000004
【図３】
2007110623.tif 000005
【図４】
2007110623.tif 000006
【図５】
2007110623.tif 000007
【図６】
2007110623.tif 000008
【図７】
2007110623.tif 000009